(57)【要約】【課題】電子機器に対する設定をより簡便に行う。【解決手段】設定制御機器２は、受信部２１１と、設定内容決定部２１２と、設定制御部２１３とを有する。受信部２１１は、ユーザが所持するユーザ端末１が予め保持する情報であって、当該ユーザの好みの設定情報を含むユーザ設定情報を受信する。設定内容決定部２１２及び設定制御部２１３は、受信部２１１が受信したユーザ設定情報に基づく設定指示を自電子機器以外の他の電子機器に送ることにより、ユーザの設定情報に基づく設定を、他の電子機器に対して行なわせる。【選択図】図５
2019169894.tif 000002
【特許請求の範囲】
【請求項１】
電子機器であって、
ユーザが所持する端末が予め保持する情報であって、当該ユーザの好みの設定情報を含むユーザ設定情報を受信する受信手段と、
前記受信手段が受信した前記ユーザ設定情報に基づく設定指示を自電子機器以外の他の電子機器に送ることにより、前記ユーザの設定情報に基づく設定を、前記他の電子機器に対して行なわせる設定手段と、
を有することを特徴とする電子機器。
【請求項２】
電子機器であって、
ユーザが所持する端末が予め保持する情報であって、当該ユーザの好みの設定情報を含むユーザ設定情報を受信する受信手段と、
前記受信手段により受信した前記ユーザ設定情報に基づく設定を、自電子機器に対して行う設定手段と、
を有することを特徴とする電子機器。
【請求項３】
前記受信手段は、前記ユーザの設定情報を前記ユーザが所持する端末以外の他の電子機器を介して受信することを特徴とする請求項２に記載の電子機器。
【請求項４】
前記設定手段は、前記受信手段が前記ユーザ設定情報を受信したタイミングで、前記設定のために動作することを特徴とする請求項１乃至３の何れか１項に記載の電子機器。
【請求項５】
前記設定手段は、前記端末と前記電子機器との位置関係が所定の条件に合致したタイミングで、前記設定のために動作することを特徴とする請求項１乃至４の何れか１項に記載の電子機器。
【請求項６】
前記受信手段は、複数のユーザの夫々が所持する複数の端末から各ユーザの好みの情報を含む複数のユーザ設定情報を受信し、
前記設定手段は、前記設定における設定内容を、前記受信手段により受信した前記複数のユーザ設定情報と、前記複数のユーザ設定情報を前記受信手段が受信した順番とに基づいて決定することを特徴とする請求項１乃至５の何れか１項に記載の電子機器。
【請求項７】
前記受信手段は、複数のユーザの夫々が所持する複数の端末から各ユーザの好みの情報を含む複数のユーザ設定情報を受信し、
前記電子機器は、前記複数のユーザの夫々の離脱時間を推定する推定手段を更に有し、
前記設定手段は前記設定における設定内容を、前記受信手段により受信した前記複数のユーザ設定情報と、前記推定手段での前記推定の結果とに基づいて決定することを特徴とする請求項１乃至６の何れか１項に記載の電子機器。
【請求項８】
前記受信手段は、複数のユーザの夫々が所持する複数の端末から各ユーザの好みの情報を含む複数のユーザ設定情報を受信し、
前記電子機器は、前記設定の対象となる電子機器の設置場所が、私的な施設であるか、又は、公的な施設であるかを判定する判定手段を更に有し
前記設定手段は、前記設定における設定内容を、前記受信手段により受信した前記複数のユーザ設定情報と、前記判定手段による判定の結果とに基づいて決定することを特徴とする請求項１乃至７の何れか１項に記載の電子機器。
【請求項９】
前記ユーザの好みの情報は、前記端末が受け付けたユーザの操作又は前記端末が取得した前記ユーザの生体情報の少なくとも何れかに基づいて変更されることを特徴とする請求項１乃至８の何れか１項に記載の電子機器。
【請求項１０】
ユーザに所持されて利用される端末であって、
前記ユーザの好みの設定情報を含むユーザ設定情報を保持する設定情報生成手段と、
前記ユーザ設定情報に基づいた設定を電子機器に対して行うために、前記ユーザ設定情報を前記電子機器又は前記電子機器以外の他の電子機器に対して送信する送信手段と、
を有することを特徴とする端末。
【請求項１１】
ユーザに関連する情報を取得するユーザ情報取得手段を有し、
前記設定情報生成手段は、前記ユーザ情報取得手段により取得されたユーザに関連する情報に基づいて前記設定情報を生成することを特徴とする請求項１０に記載の端末。
【請求項１２】
前記電子機器又は前記他の電子機器から所定の信号を受信する受信手段を有し、
前記送信手段は、前記電子機器又は前記他の電子機器から所定の信号を受信した時に、前記ユーザ設定情報を前記電子機器又は前記電子機器以外の他の電子機器に対して送信することを特徴とする請求項１０又は１１に記載の端末。
【請求項１３】
ユーザが所持する端末が予め保持する情報であって、当該ユーザの好みの設定情報を含むユーザ設定情報を取得する取得手段と、
前記取得手段が取得した前記ユーザ設定情報を電子機器に送信する送信手段と、
前記送信手段により送信された前記ユーザ設定情報を受信する受信手段と、
前記受信手段により受信した前記ユーザ設定情報に基づく設定を、前記電子機器に対して行う設定手段と、
を有することを特徴とする設定システム。
【請求項１４】
電子機器が行う設定方法であって、
ユーザが所持する端末が予め保持する情報であって、当該ユーザの好みの設定情報を含むユーザ設定情報を受信する受信ステップと、
前記受信ステップにて受信した前記ユーザ設定情報に基づく設定指示を自電子機器以外の他の電子機器に送ることにより、前記ユーザの設定情報に基づく設定を、前記他の電子機器に対して行なわせる設定ステップと、
を有することを特徴とする設定方法。
【請求項１５】
コンピュータに、
ユーザが所持する端末が予め保持する情報であって、当該ユーザの好みの設定情報を含むユーザ設定情報を受信する受信機能と、
前記受信機能が受信した前記ユーザ設定情報に基づく設定指示を自コンピュータ以外の他の電子機器に送ることにより、前記ユーザの設定情報に基づく設定を、前記他の電子機器に対して行なわせる設定機能と、
を実現することを特徴とする設定プログラム。
【発明の詳細な説明】
【技術分野】
【０００１】
本発明は、電子機器、端末、設定システム、設定方法、及び設定プログラムに関する。
【背景技術】
【０００２】
従来、電子機器の設定を行う方法として、ユーザによる設定指示をリモートコントローラで受け付ける方法が知られている。この方法によれば、リモートコントローラを介して設定指示を電子機器に送信することができる。そのため、ユーザが、電子機器が備えるボタン等を操作するために、電子機器に近づく手間を省くことができる。
また、近年、音声による設定指示を受け付ける電子機器や、ユーザに対する画像認識を行うことによって、ユーザに対応する設定を行うシステム等も存在する（例えば、特許文献１参照。）。
【先行技術文献】
【特許文献】
【０００３】
【特許文献１】特開２０１０−２５３５９号公報
【発明の概要】
【発明が解決しようとする課題】
【０００４】
しかしながら、リモートコントローラや音声を利用して設定を行う場合には、設定の都度、ユーザが設定操作や音声指示をするという手間が発生する。
また、ユーザに対する画像認識を行うことによって、ユーザに対応する設定を行うシステムを実現するにあたり、ユーザに対する画像認識に誤りがあると、必ずしも適切な設定とはならない。
【０００５】
本発明は、このような状況に鑑みてなされたものであり、電子機器に対する設定をより簡便且つ適切に行うことを目的とする。
【課題を解決するための手段】
【０００６】
上記目的を達成するため、本発明の一態様の電子機器は、
電子機器であって、
ユーザが所持する端末が予め保持する情報であって、当該ユーザの好みの設定情報を含むユーザ設定情報を受信する受信手段と、
前記受信手段が受信した前記ユーザ設定情報に基づく設定指示を自電子機器以外の他の電子機器に送ることにより、前記ユーザの設定情報に基づく設定を、前記他の電子機器に対して行なわせる設定手段と、
を有することを特徴とする。
【０００７】
上記目的を達成するため、本発明の他の態様の電子機器は、
電子機器であって、
ユーザが所持する端末が予め保持する情報であって、当該ユーザの好みの設定情報を含むユーザ設定情報を受信する受信手段と、
前記受信手段により受信した前記ユーザ設定情報に基づく設定を、自電子機器に対して行う設定手段と、
を有することを特徴とする。
【発明の効果】
【０００８】
本発明によれば、電子機器に対する設定をより簡便且つ適切に行うことができる。
【図面の簡単な説明】
【０００９】
【図１】本発明の一実施形態に係る設定システム全体の構成を示すブロック図である。
【図２】図１の設定システムに含まれるユーザ端末のハードウェアの構成を示すブロック図である。
【図３】図２のユーザ端末の機能的構成のうち、設定制御処理を実行するための機能的構成を示す機能ブロック図である。
【図４】図１の設定システムに含まれる設定制御機器のハードウェアの構成を示すブロック図である。
【図５】図５の設定制御機器の機能的構成のうち、設定制御処理を実行するための機能的構成を示す機能ブロック図である。
【図６】図１の設定システムが実行する設定制御処理の流れを説明するフローチャートである。
【図７】本発明の一実施形態の変形例に係る設定システム全体の構成を示すブロック図である。
【図８】図７の設定システムが実行する設定制御処理の流れを説明するフローチャートである。
【発明を実施するための形態】
【００１０】
以下、本発明の実施形態について、図面を用いて説明する。
【００１１】
本発明に係る設定システムでは、ユーザが所持するユーザ端末が、当該ユーザの好みの設定情報を含むユーザ設定情報を記憶する。また、設定制御機器が、ユーザ端末から、ユーザ設定情報を受信する。また、設定制御機器は、受信したユーザ設定情報に基づく設定を、電子機器に対して行う。
これにより、本発明に係る設定システムでは、ユーザの好みに応じた設定情報に基づいて、ユーザの操作等を要することなく、電子機器を設定できる。すなわち、本発明に係る設定システムでは、電子機器に対する設定をより簡便且つ適切に行うことができる。
【００１２】
［システム構成］
図１は、本実施形態に係る設定システムＳの全体構成を示すブロック図である。図１に示すように、設定システムＳは、ユーザ端末１、設定制御機器２、及び被設定機器３を含む。これら端末及び機器は、相互に通信可能に接続される。この通信接続に関して制限はなく、例えば、インターネットや、ＬＡＮ（Ｌｏｃａｌ  Ａｒｅａ  Ｎｅｔｗｏｒｋ）等のネットワークを介した通信接続であってもよく、Ｂｌｕｅｔｏｏｔｈ（登録商標）等の規格に準拠した中継機器等を介さない通信接続であってもよい。
【００１３】
また、図１では設定システムＳの構成の一例として、ｎ台（ｎは、任意の自然数）のユーザ端末１、１台の設定制御機器２、及びｍ台（ｍは、任意の自然数）の被設定機器３を図示する。ただし、これは一例に過ぎず、設定システムＳに含まれるこれら端末及び機器の台数について特に制限はない。
なお、以下の説明において、ｎ台のユーザ端末１を特に区別することなく説明する場合には、符号の末尾のアルファベットを省略し、単に「ユーザ端末１」と称する。同様に、ｍ台の被設定機器３を特に区別することなく説明する場合には、符号の末尾のアルファベットを省略し、単に「被設定機器３」と称する。
【００１４】
ユーザ端末１は、それぞれがユーザに所持して利用される端末である。ユーザ端末１は、上述したように、ユーザ端末を所持するユーザの好みの設定情報を含むユーザ設定情報を記憶する。
【００１５】
設定制御機器２は、被設定機器３に対して設定を行う機器である。設定制御機器２は、ユーザ端末１から、ユーザ設定情報を受信する。設定制御機器２は、受信したユーザ設定情報に基づいて、設定内容を決定する。また、設定制御機器２は、決定した設定内容に基づいた設定指示を、被設定機器３に対して行う。なお、設定制御機器２は、複数のユーザ端末１から、複数のユーザそれぞれについてのユーザ設定情報を受信した場合には、これら複数のユーザそれぞれについての複数のユーザ設定情報に基づいて、設定内容を決定する。この点の詳細については、図５を参照して後述する。
【００１６】
被設定機器３は、所定の機能を有する機器である。ここで、この所定の機能に特に制限はなく、任意の機能であってよい。例えば、被設定機器３が、エア・コンディショナー（以下「エアコン」と称する。）により実現される場合は、所定の機能は、例えば、冷房機能や暖房機能である。また、被設定機器３は、設定制御機器２からの設定指示に基づいて、自身が備える所定の機能についての設定を行う。例えば、被設定機器３が、エアコンにより実現される場合は、被設定機器３は、設定制御機器２からの設定指示に基づいて、例えば、冷房機能や暖房機能における設定温度や風量について設定を行う。
【００１７】
なお、被設定機器３は、任意の電子機器により実現することができる。例えば、被設定機器３は、家庭内のオーディオ機器や照明、テレビジョン受信機、暖房機器、冷房機器、サーモスタット、カーテンの開閉装置等の任意の電子機器により実現することができる。
また、設定システムＳでは、これら任意の電子機器における、任意の設定項目を、設定対象とすることができる。例えば、テレビジョン受信機であれば、チャンネル選択、音量調整、輝度調整、及び画質調整等の設定項目を、設定対象とすることができる。
【００１８】
［ユーザ端末のハードウェア構成］
図１は、本発明の一実施形態に係るユーザ端末１のハードウェアの構成を示すブロック図である。
ユーザ端末１は、例えば、スマートウォッチにより実現される。
【００１９】
ユーザ端末１は、図１に示すように、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、センサ部１６と、入力部１７と、出力部１８と、記憶部１９と、通信部４０と、ドライブ４１と、を備えている。
【００２０】
ＣＰＵ１１は、ＲＯＭ１２に記録されているプログラム、または、記憶部１９からＲＡＭ１３にロードされたプログラムにしたがって各種の処理を実行する。
【００２１】
ＲＡＭ１３には、ＣＰＵ１１が各種の処理を実行する上において必要なデータ等も適宜記憶される。
【００２２】
ＣＰＵ１１、ＲＯＭ１２及びＲＡＭ１３は、バス１４を介して相互に接続されている。このバス１４にはまた、入出力インターフェース１５も接続されている。入出力インターフェース１５には、センサ部１６と、入力部１７と、出力部１８と、記憶部１９と、通信部４０と、ドライブ４１と、が接続されている。
【００２３】
センサ部１６は、図示はしないが、多様なセンサを含んでいる。例えば、センサ部１６は、ユーザの生体情報を測定するセンサとして、脈拍を測定する脈拍センサと、ユーザの体温（または表皮温度）を測定する温度センサと、ユーザの呼吸の数や深さや速さを測定するための呼吸センサと、を含んでいる。センサ部１６は、予め設定されたサンプリング周期（例えば、０．１秒）毎に、これらセンサの測定結果をサンプリングする。
【００２４】
サンプリングにより生成された、ユーザの生体情報を示すデータ（以下、「生体情報データ」と呼ぶ。）は、測定時刻のデータと対応付けて、記憶部１９に記憶される。また、これら測定データ及び測定時刻のデータは、記憶部１９に記憶されるのみならず、ＣＰＵ１１等に適宜供給される。なお、センサ部１６は、更に他のセンサを含んでいてもよい。例えば、センサ部１６は、気圧センサ、紫外線センサ、温度センサ、湿度センサ等の環境条件を測定するためのセンサを含んでいてもよい。更に、センサ部１６は、ＧＰＳ（Ｇｌｏｂａｌ  Ｐｏｓｉｔｉｏｎｉｎｇ  Ｓｙｓｔｅｍ）等の位置測位用のセンサを含んでいてもよい。
【００２５】
入力部１７は、各種ボタン、タッチパネルあるいはマイク等で構成され、ユーザの指示操作に応じて各種情報を入力する。
出力部１８は、ディスプレイやスピーカ等で構成され、画像や音声を出力する。
記憶部１９は、ＤＲＡＭ（Ｄｙｎａｍｉｃ  Ｒａｎｄｏｍ  Ａｃｃｅｓｓ  Ｍｅｍｏｒｙ）等の半導体メモリで構成され、各種データを記憶する。
通信部４０は、他の装置（例えば、設定制御機器２や、被設定機器３）との間で行う通信を制御する。
【００２６】
ドライブ４１には、磁気ディスク、光ディスク、光磁気ディスク、あるいは半導体メモリ等よりなる、リムーバブルメディア３１が適宜装着される。ドライブ４１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２７】
［ユーザ端末の機能的構成］
図３は、図２のユーザ端末１の機能的構成のうち、設定制御処理を実行するための機能的構成を示す機能ブロック図である。
設定制御処理とは、ユーザが所持するユーザ端末が記憶する、当該ユーザの好みの設定情報を含むユーザ設定情報に基づいた設定を、被設定機器３に対して行う一連の処理をいう。
【００２８】
設定制御処理が実行される場合、図３に示すように、ＣＰＵ１１において、ユーザ設定情報生成部１１１と、生体情報取得部１１２と、送信部１１３とが機能する。
また、記憶部１９の一領域には、ユーザ設定情報記憶部１９１が設定される。
【００２９】
ユーザ設定情報記憶部１９１は、ユーザ端末１を所持するユーザの好みの設定情報を含むユーザ設定情報を記憶する。このユーザ設定情報は、例えば、エアコンに関する設定であれば、冷房や暖房の設定温度の値や、送風における強風や弱風の指定といった情報である。
【００３０】
ユーザ設定情報生成部１１１は、ユーザ設定情報を生成する部分である。ユーザ設定情報は、例えば、入力部１７が受け付けたユーザの操作に基づいて生成される。そのため、ユーザ設定情報生成部１１１は、ユーザ設定情報生成用のユーザインタフェースを出力部１８に含まれる表示部に表示する。そして、ユーザ設定情報生成部１１１は、このユーザインタフェースを参照したユーザからの操作に基づいて、ユーザ設定情報を生成する。
【００３１】
また、ユーザ設定情報生成部１１１は、生成したユーザ設定情報を、ユーザを識別するための識別情報等と紐付けて保持する。例えば、ユーザ設定情報生成部１１１は、生成したユーザ設定情報を、ユーザを識別するための識別情報等と紐付けてユーザ設定情報記憶部１９１に記憶させることにより、生成したユーザ設定情報を保持する。ただし、これは一例に過ぎず、ユーザ設定情報生成部１１１は、ユーザ設定情報記憶部１９１以外の記憶装置に、生成したユーザ設定情報を記憶させることによって、生成したユーザ設定情報を保持するようにしてもよい。例えば、ユーザ設定情報生成部１１１は、ドライブ４１に挿入されたリムーバブルメディア５１や、ユーザ端末１以外の図示を省略した外部装置（例えば、パーソナルコンピュータや、サーバ装置）に、生成したユーザ設定情報を記憶させることによって、生成したユーザ設定情報を保持するようにしてもよい。何れの場合であっても、ユーザ設定情報生成部１１１は、記憶させたユーザ設定情報を読み込むことにより、任意のタイミングで保持しているユーザ設定情報を取得することができる。
【００３２】
なお、ユーザ設定情報には、そのユーザの属性を示す情報が含まれていてもよい。例えば、ユーザの性別や年令、あるいは、ユーザ間の関係（例えば、第１ユーザと第２ユーザは家族同士である。）等の情報が含まれていてもよい。また、ユーザ設定情報記憶部１９１に記憶されたユーザ設定情報は、ユーザの操作等に応じて、適宜修正されてもよい。
【００３３】
生体情報取得部１１２は、センサ部１６が測定したユーザの生体情報データを取得する部分である。生体情報取得部１１２は、取得した生体情報データに基づいて、ユーザ設定情報記憶部１９１に記憶されたユーザ設定情報を修正する。あるいは、生体情報取得部１１２は、取得した生体情報データを、設定制御機器２に対して送信する。生体情報取得部１１２が取得した生体情報データの利用については、後述の第４の変形例において説明するので、ここでは、詳細な説明を省略する。
【００３４】
送信部１１３は、ユーザ設定情報記憶部１９１に記憶されたユーザ設定情報を、設定制御機器２に対して送信する部分である。送信部１１３は、所定の通信規格（例えば、ＩＥＥＥ  ８０２．１１）に準拠して、設定制御機器２との間で通信を行う。そのために、送信部１１３は、設定制御機器２が周期的に送信する、設定制御機器２の存在を示す信号（例えば、ビーコン信号）を探索する。そして、送信部１１３は、ビーコン信号を検出すると、ビーコン信号の発信元の設定制御機器２との間で、通信規格に沿った所定の処理を行うことにより、通信接続を確立する。すると、送信部１１３は、確立した通信接続を利用して、ユーザ設定情報記憶部１９１に記憶されたユーザ設定情報を、設定制御機器２に対して送信する。
【００３５】
なお、設定制御機器２は、通信接続確立後も、ユーザ端末１が、設定制御機器２と通信可能な範囲に存在しているか否かを監視する。そのため、送信部１１３は、ユーザ設定情報送信後も、周期的に設定制御機器２と通信を行い、ユーザ端末１が、設定制御機器２と通信可能な範囲に存在していることを設定制御機器２に通知する。
【００３６】
［設定制御機器のハードウェア構成］
図４は、本発明の一実施形態に係る設定制御機器２のハードウェアの構成を示すブロック図である。
設定制御機器２は、例えば、設定制御機器２を実現するための、専用の電子機器により実現される。
【００３７】
設定制御機器２は、図４に示すように、ＣＰＵ２１と、ＲＯＭ２２と、ＲＡＭ２３と、バス２４と、入出力インターフェース２５と、入力部２６と、出力部２７と、記憶部２８と、通信部２９と、ドライブ３０と、を備えている。これら各ハードウェアは、図２に示すユーザ端末１が備える、符号のみが異なる同名のハードウェアと同等の機能を有しているので、ここでは重複する説明を省略する。また、ドライブ３０に適宜装着されるリムーバブルメディア３２は、ドライブ４１に適宜装着されるリムーバブルメディア３２と同等の機能を有しているので、ここでは重複する説明を省略する。
【００３８】
［設定制御機器の機能的構成］
図５は、図４の設定制御機器の機能的構成のうち、設定制御処理を実行するための機能的構成を示す機能ブロック図である。
【００３９】
設定制御処理が実行される場合、図５に示すように、ＣＰＵ２１において、受信部２１１と、設定内容決定部２１２と、設定制御部２１３とが機能する。
また、記憶部２８の一領域には、設定管理情報記憶部２８１が設定される。
【００４０】
設定管理情報記憶部２８１には、各被設定機器３のそれぞれについての、設定可能な内容と、現在設定されている設定内容とが、被設定機器３を識別するための識別情報等と紐付けて記憶される。例えば、被設定機器３がエアコンの場合には、設定可能な内容として設定可能な温度範囲や設定可能な運転モードが記憶される。また、現在設定されている設定内容として、現在の設定温度の値や、現在設定されている運転モードが記憶される。
【００４１】
受信部２１１は、各ユーザ端末１の送信部１１３から送信されたユーザ設定情報を受信する部分である。受信部２１１は、受信したユーザ設定情報を設定内容決定部２１２に対して出力する。また、設定内容決定部２１２は、送信部１１３の説明において上述した方法で、ユーザ端末１が、設定制御機器２と通信可能な範囲に存在しているか否かを監視する。設定内容決定部２１２は、この監視結果（すなわち、ユーザ端末１が、設定制御機器２と通信可能な範囲に存在しているか否か）も設定内容決定部２１２に対して出力する。
【００４２】
設定内容決定部２１２は、各被設定機器３の所定機能についての設定内容を決定する部分である。設定内容決定部２１２は、受信部２１１から入力されるユーザ設定情報と、設定管理情報記憶部２８１に記憶されている各被設定機器３についての現在設定されている設定内容とに基づいて、新たな設定内容を決定する。
【００４３】
例えば、被設定機器３がエアコンの場合に、ユーザ設定情報にユーザの好みの温度が含まれている場合を想定する。この場合、設定内容決定部２１２は、ユーザ設定情報に含まれているユーザの好みの温度が、現在の設定温度と異なる場合は、このユーザの好みの温度を、新たな設定内容として決定する。また、設定内容決定部２１２は、受信部２１１から入力される監視結果に基づいて、ユーザ端末１が、設定制御機器２と通信可能な範囲に存在しなくなった場合には、ユーザの好みの温度とする前に設定されていた、既存の温度を、新たな設定温度として決定する。つまり、設定内容決定部２１２は、ユーザ端末１が、設定制御機器２と通信可能な範囲に存在しなくなった場合には、ユーザがエアコンの設置された場所から離脱したと判断し、既存の設定温度に設定内容を戻す。
【００４４】
また、設定内容決定部２１２は、複数のユーザ端末１から、複数のユーザそれぞれについてのユーザ設定情報を受信した場合には、これら複数のユーザそれぞれについての複数のユーザ設定情報に基づいて、新たな設定内容を決定する。例えば、設定内容決定部２１２は、各ユーザ設定情報に含まれる各ユーザの好みの平均となるように、新たな設定内容を決定する。例えば、被設定機器３がエアコンであって、ユーザ設定情報にユーザの好みの温度が含まれている場合には、この好みの温度の平均値を、新たな設定内容として決定する。この場合に、各ユーザに優先度を設定しておき、優先度に応じた重みづけを行って、加重平均を取るようにしてもよい。例えば、体調に配慮する必要がある乳児等について優先度を高く設定しておいたり、被設定機器３が設置されている部屋をもっぱら利用するユーザの優先度を高く設定しておいたり、家族以外の来客について優先度を高く設定しておいたりしてもよい。
【００４５】
また、例えば、運転モードの設定を行う場合において、ユーザ設定情報において、強風を好みとして設定しているユーザが２人存在し、弱風を好みとして設定しているユーザが１人存在しているような場合に、いわゆる多数決により、新たな設定内容を強風と決定するようにしてもよい。また、例えば、運転モードの設定を行う場合において、優先度の高いユーザの好みに基づいて、新たな設定内容を決定するようにしてもよい。
【００４６】
なお、複数のユーザ設定情報に基づいて、新たな設定内容を決定する方法としては、平均を取る以外にも種々の方法を利用することができる。この点については、後述の第３の変形例において説明するので、ここでは、詳細な説明を省略する。
【００４７】
設定内容決定部２１２は、決定した新たな設定内容を設定制御部２１３に対して出力する。また、設定内容決定部２１２は、ユーザ設定情報記憶部１９１が記憶している現在の設定内容を、決定した新たな設定内容により更新する。
【００４８】
設定制御部２１３は、設定内容決定部２１２から入力された新たな設定内容を被設定機器３に対して送信することにより、被設定機器３に設定指示を行う。設定制御部２１３から設定指示として送信された新たな設定内容を受信した被設定機器３は、受信した新たな設定内容に応じた設定を被設定機器３自身に対して行う。例えば、被設定機器３がエアコンの場合に、新たな設定内容として受信した設定温度に基づいて、被設定機器３自身に対して温度設定を行う。
【００４９】
［動作］
次に、設定システムＳの動作を説明する。
図６は、設定システムＳが実行する設定制御処理の流れを説明するフローチャートである。
設定制御処理は、設定システムＳが起動し、何れかのユーザ端末１が、設定制御機器２と通信可能となった場合に開始される。
【００５０】
ステップＳ１１において、ユーザ設定情報生成部１１１は、ユーザ設定情報記憶部１９１に記憶されているユーザ設定情報を取得する。
【００５１】
ステップＳ１２において、送信部１１３は、ステップＳ１１において取得されたユーザ設定情報を、設定制御機器２に対して送信する。
【００５２】
ステップＳ１３において、受信部２１１は、ステップＳ１２において送信されたユーザ設定情報を受信する。
【００５３】
ステップＳ１４において、設定内容決定部２１２は、ステップＳ１３において受信したユーザ設定情報に基づいて、新たな設定内容を決定する。
【００５４】
ステップＳ１５において、設定制御部２１３は、ステップＳ１４において決定した新たな設定内容に設定を行うように、被設定機器３に対して設定指示を行う。設定指示を受けた被設定機器３は、受信した新たな設定内容に応じた設定を被設定機器３自身に対して行う。
【００５５】
ステップＳ１６において、受信部２１１は、ユーザ端末１を所持しているユーザの移動に伴い、設定制御機器２と通信可能な範囲に、新たにユーザ端末１が増加したか否かを判定する。上述したように、ユーザ端末１は、設定制御機器２と通信可能な範囲に進入した場合に、ビーコン信号等に基づいて、設定制御機器２と通信を開始するので、通信が新たに開始されたか否かに基づいてステップＳ１６の判定を行うことができる。
【００５６】
ユーザ端末１が新たに増加した場合には、ステップＳ１６においてＹｅｓと判定され、処理はステップＳ１１に戻る。そして、この新たに増加したユーザ端末１がステップＳ１１及びステップＳ１２を行うことにより、処理は繰り返される。この場合、再度行われるステップＳ１４では、既存のユーザ端末１から受信したユーザ設定情報と、この新たに増加したユーザ端末１から受信したユーザ設定情報との双方に基づいて、設定内容が決定される。例えば、設定内容決定部２１２じゃ、上述したように、平均を取る等の方法で、設定内容を決定する。
【００５７】
一方で、ユーザ端末１が新たに増加しない場合には、ステップＳ１６においてＮｏと判定され、処理はステップＳ１７に進む。
ステップＳ１７において、受信部２１１は、ユーザ端末１を所持しているユーザの移動に伴い、設定制御機器２と通信可能な範囲から、ユーザ端末１が減少したか否かを判定する。受信部２１１は、上述したように、ユーザ端末１が、設定制御機器２と通信可能な範囲に存在しているか否かを監視しているので、この監視結果に基づいてステップＳ１７の判定を行うことができる。
【００５８】
ユーザ端末１が減少しない場合には、ステップＳ１７においてＮｏと判定され、処理は再度ステップＳ１６の判定に戻る。つまり、ユーザ端末１が増加又は減少するまでステップＳ１６及びステップＳ１７の判定が繰り返される。一方で、ユーザ端末１が減少した場合には、ステップＳ１７においてＹｅｓと判定され処理は再度ステップＳ１４に戻る。この場合、再度行われるステップＳ１４では、受信部２１１は、減少したユーザ端末１から受信したユーザ設定情報を考慮せずに、設定内容を決定する。つまり、受信部２１１は、ユーザ端末１が減少したとしても、設定制御機器２と通信可能な範囲に、その他のユーザ端末１が未だ存在している場合には、未だ存在しているユーザ端末１から受信したユーザ設定情報に基づいて、設定内容を決定する。また、受信部２１１は、ユーザ端末１が減少したことにより、設定制御機器２と通信可能な範囲に、ユーザ端末１が１台も存在しなくなった場合には、本処理を開始する前の既存の設定内容に決定する。
このようにして、本処理は、設定システムＳが起動している間、継続して行われる。
【００５９】
以上説明した動作により、ユーザ端末１のユーザの好みに応じた設定を行うことができる。また、ユーザは、自身の好みに応じた設定情報をユーザ端末１に記憶させておくだけでよく、設定の都度、所定の操作等を行う必要はない。また、この設定システムＳによれば、ユーザは電子機器に対する設定操作を意識することなく、ユーザにとって適した電子機器に対する設定を無意識に行なうことができる。
つまり、本実施形態に係る設定システムＳによれば、電子機器に対する設定をより簡便且つ適切に行うことができる。
【００６０】
尚、上記実施形態では、ステップＳ１２において、送信部１１３は、ユーザ設定情報を設定制御機器２に対して送信しているが、ユーザ端末１が設定制御機器２と通信可能になったことをユーザ端末１が検知したら、ユーザ端末１が自主的に設定制御機器２にユーザ設定情報を送信するような構成としてもよいし、ユーザ端末１と設定制御機器２とが通信可能となった場合において、設定制御機器２がユーザ端末１に対してリクエスト信号を送信し、そのリクエスト信号をユーザ端末１が受信したら、それに呼応してユーザ端末１が設定制御機器２に対してユーザ設定情報を送信するような構成としてもよい。
【００６１】
［変形例］
本発明は、上述の実施形態に限定されるものではなく、本発明の目的を達成できる範囲での変形、改良等は本発明に含まれるものである。例えば、上述の実施形態を以下の変形例のように変形してもよい。
【００６２】
＜第１変形例＞
上述した実施形態では、設定制御機器２が、ユーザ端末１からユーザ設定情報を受信していた。そして、設定制御機器２が、受信したユーザ設定情報に基づいた設定を、被設定機器３に対して行わせていた。これに限らず、被設定機器３自身が、ユーザ端末１からユーザ設定情報を受信する構成としてもよい。
【００６３】
本変形例に対応する設定システムＳの構成について図７を参照して説明をする。図７は、本変形例に対応する設定システムＳの全体構成を示すブロック図である。図１に示すように、本変形例に対応する設定システムＳは、ｎ台のユーザ端末１と、ｋ台（ｋは、任意の自然数）の自己設定機器４とを含む。なお、なお、以下の説明において、ｋ台の自己設定機器４を特に区別することなく説明する場合には、符号の末尾のアルファベットを省略し、単に「自己設定機器４」と称する。
【００６４】
ユーザ端末１は、上述した実施形態におけるユーザ端末１と同等の機能を有する。ただし、上述した実施形態では、ユーザ端末１は、設定制御機器２に対してユーザ設定情報を送信していたのに対し、本変形例では、ユーザ端末１は、自己設定機器４に対してユーザ設定情報を送信する。
【００６５】
自己設定機器４は、上述した実施形態における、設定制御機器２の機能及び被設定機器３の機能の双方を備える。また、上述した設定制御機器２は、被設定機器３に対して新たな設定内容に基づいた設定指示を送信することにより設定を行っていた。これに対して、自己設定機器４は、新たな設定内容に基づいた設定を、自身が備える所定の機能に対して行う点で相違する。
なお、ユーザ端末１の機能、設定制御機器２の機能及び被設定機器３の機能については、上述しているので、重複する説明を省略する。
【００６６】
次に、本変形例に対応する設定システムＳの動作を説明する。
図８は、本変形例に対応する設定システムＳが実行する設定制御処理の流れを説明するフローチャートである。なお、ステップＳ１１、ステップＳ１３、ステップＳ１４、ステップＳ１６及びステップＳ１７については、図６を参照して上述した同名のステップと同じ動作であるので、重複する説明を省略する。
【００６７】
ステップＳ１２に代えて行われるステップＳ２１において、ユーザ端末１の送信部１１３は、ステップＳ１１において取得されたユーザ設定情報を、自己設定機器４に対して送信する。
【００６８】
ステップＳ１５に代えて行われるステップＳ２２において、自己設定機器４の設定制御部２１３は、ステップＳ１４において決定した新たな設定内容に基づいた設定を、自身が備える所定の機能に対して行う。
以上説明した動作によっても、図６を参照して上述した動作と同様の効果を奏することができる。つまり、本変形例のように構成した設定システムＳによっても、上述の実施形態同様に、電子機器に対する設定をより簡便且つ適切に行うことができる。
なお、自己設定機器４は、ユーザ端末１から直接ユーザ設定情報を受信してもよいが、ユーザ端末１以外の他の電子機器（例えば、ＬＡＮを実現するためのルータ等の中継装置）を介して、ユーザ設定情報を受信してもよい。これにより、ユーザ端末１と自己設定機器４が直接通信を行なうことができないような位置関係にあるような場合であっても、本変形例を実現することができる。
【００６９】
＜第２変形例＞
上述した実施形態では、ユーザ端末１を所持しているユーザの移動に伴い、設定制御機器２と通信可能な範囲に、新たにユーザ端末１が進入した場合に、ユーザ設定情報を設定制御機器２が受信していた。そして、設定制御機器２は、ユーザ設定情報を受信したタイミングで、新たな設定内容を決定して、被設定機器３に設定指示を行っていた。また、上述した実施形態では、ユーザ端末１を所持しているユーザの移動に伴い、設定制御機器２と通信可能な範囲から存在しなくなったタイミングで、新たな設定内容を決定して、被設定機器３に設定指示を行っていた。
【００７０】
これは、設定制御機器２と被設定機器３とが同じ場所（例えば、同じ部屋）に設置されており、この同じ場所に進入したユーザに対して、被設定機器３が有する所定の機能を提供することを前提としたものであった。
【００７１】
しかしながら、設定制御機器２と通信可能な範囲と、被設定機器３が有する所定の機能をユーザに提供すべき範囲とが異なる場合がある。
このような場合には、ユーザ端末１の位置と被設定機器３位置とが、所定の位置関係になったタイミングで、新たな設定内容を決定して、被設定機器３に設定指示を行うようにしてもよい。例えば、ユーザ端末１が測位した位置情報等に基づいて、ユーザ端末１が、被設定機器３が有する所定の機能をユーザに提供すべき範囲に進入したタイミングで、新たな設定内容を決定して、被設定機器３に設定指示を行うようにしてもよい。
【００７２】
＜第３変形例＞
上述した実施形態では、設定内容決定部２１２は、複数のユーザ設定情報に基づいて、新たな設定内容を決定する方法として、平均や優先度に基づいて新たな設定内容を決定する方法を利用していた。これに限定されず、設定内容決定部２１２は、他の方法で、新たな設定内容を決定するようにしてもよい。
【００７３】
例えば、複数のユーザ設定情報を受信した順番に基づいて、新たな設定内容を決定してもよい。例えば、最初に受信したユーザ設定情報に基づいて新たな設定内容を決定したり、最後に受信したユーザ設定情報に基づいて新たな設定内容を決定したりしてもよい。例えば、夏の暑い日等に、外出から戻って最後に入室したユーザの好みに応じた冷房温度に設定するようにしてもよい。
【００７４】
また、例えば、複数のユーザそれぞれの離脱時間を推定し、この推定した離脱時間に基づいて、新たな設定内容を決定してもよい。例えば、上述したように、ユーザ設定情報に、ユーザの属性を示す情報を含ませておく。そして、ユーザの属性が、設定システムＳが設置されている住居の家族以外であれば、来客であるため離脱時間が短いと推定する。これに対して、ユーザの属性が家族であれば、離脱時間が長いと想定する。そして、離脱時間が長いユーザのユーザ設定情報に基づいて、新たな設定内容を決定してもよい。
【００７５】
更に、例えば、被設定機器３が設置されている施設の種類に基づいて、新たな設定内容を決定してもよい。例えば、設定制御機器２に各被設定機器３が設置されている施設の種類を記憶させておく。また、新たな設定内容を決定する場合に、設定対象とする被設定機器３が設置されている施設が、自宅等の私的な施設であるか、又は、ホテル等の公的な施設であるかを判定する。そして、私的な施設である場合には、特に制限なく新たな設定内容を決定する。一方で、公的な施設である場合には、設定を行うことができる機能を限定したり、設定内容を限定したりする。例えば、エアコンの設定はできても館内のスピーカの音量は設定できなくする。あるいは、設定はできても設定可能な温度帯を限定し、極端に温かい温度や冷たい温度には設定できなくする等してもよい。
【００７６】
＜第４変形例＞
上述した実施形態では、ユーザ設定情報は、ユーザの操作に応じて設定や変更されていた。これを変形して、ユーザの生体情報に基づいて、ユーザ設定情報を設定や変更するようにしてもよい。例えば、ユーザ設定情報に基づいた室温に設定したにも関わらず、ユーザの生体情報として取得したユーザの体温が高い場合には、ユーザ設定情報を変更して、より低い室温になるようにしてもよい。また、例えば、ユーザの生体情報として取得した血圧や心拍数に基づいて、ユーザ設定情報を変更することにより、ヒートショックにより血圧や心拍数が上がりすぎないようにしてもよい。
【００７７】
以上のように構成される設定制御機器２は、受信部２１１と、設定内容決定部２１２と、設定制御部２１３とを有する。
受信部２１１は、ユーザが所持するユーザ端末１が予め保持する情報であって、当該ユーザの好みの設定情報を含むユーザ設定情報を受信する。
設定内容決定部２１２及び設定制御部２１３は、受信部２１１が受信したユーザ設定情報に基づく設定指示を自電子機器以外の他の電子機器に送ることにより、ユーザの設定情報に基づく設定を、他の電子機器に対して行なわせる。
これにより、ユーザの好みに応じた設定情報に基づいて、ユーザの操作等を要することなく、電子機器を設定できる。すなわち、電子機器に対する設定をより簡便且つ適切に行うことができる。
【００７８】
以上のように構成される自己設定機器４は、受信部２１１と、設定内容決定部２１２と、設定制御部２１３とを有する。
受信部２１１は、ユーザが所持するユーザ端末１が予め保持する情報であって、当該ユーザの好みの設定情報を含むユーザ設定情報を受信する。
設定内容決定部２１２及び設定制御部２１３は、受信部２１１により受信したユーザ設定情報に基づく設定を、自電子機器に対して行う。
これにより、ユーザの好みに応じた設定情報に基づいて、ユーザの操作等を要することなく、電子機器を設定できる。すなわち、電子機器に対する設定をより簡便且つ適切に行うことができる。
【００７９】
自己設定機器４の備える受信部２１１は、ユーザの設定情報をユーザ端末１以外の他の電子機器を介して受信する。
これにより、ユーザ端末１と自己設定機器４が直接通信を行なうことができないような位置関係にあるような場合であっても、設定を行うことができる。
【００８０】
設定内容決定部２１２及び設定制御部２１３は、受信部２１１がユーザ設定情報を受信したタイミングで、設定のために動作する。
これにより、ユーザ設定情報を受信した場合に、即時に電子機器に対する設定を行うことができる。
【００８１】
設定内容決定部２１２及び設定制御部２１３は、ユーザ端末１と設定制御機器２又は自己設定機器４との位置関係が所定の条件に合致したタイミングで、設定のために動作する。
これにより、電子機器の種類等に応じた位置関係にユーザが移動した場合に、電子機器に対する設定を行うことができる。
【００８２】
受信部２１１は、複数のユーザの夫々が所持する複数のユーザ端末１から各ユーザの好みの情報を含む複数のユーザ設定情報を受信し、
設定内容決定部２１２及び設定制御部２１３は、設定における設定内容を、受信部２１１により受信した複数のユーザ設定情報と、複数のユーザ設定情報を受信部２１１が受信した順番とに基づいて決定する。
これにより、複数のユーザが移動した順番に基づいて、複数のユーザ夫々の好みを考慮した設定を行うことができる。例えば、最後に移動したユーザの好みを優先的に反映するようなことができる。
【００８３】
受信部２１１は、複数のユーザの夫々が所持する複数のユーザ端末１から各ユーザの好みの情報を含む複数のユーザ設定情報を受信する。
設定内容決定部２１２及び設定制御部２１３は、複数のユーザの夫々の離脱時間を推定する。
設定内容決定部２１２及び設定制御部２１３は、設定における設定内容を、受信部２１１により受信した複数のユーザ設定情報と、推定の結果とに基づいて決定する。
これにより、複数のユーザが離脱するか否かに基づいて、複数のユーザ夫々の好みを考慮した設定を行うことができる。例えば、すぐに離脱するユーザではなく、他のユーザの好みを優先的に反映するようなことができる。
【００８４】
受信部２１１は、複数のユーザの夫々が所持する複数のユーザ端末１から各ユーザの好みの情報を含む複数のユーザ設定情報を受信し、
設定内容決定部２１２及び設定制御部２１３は、設定の対象となる設定制御機器２又は自己設定機器４の設置場所が、私的な施設であるか、又は、公的な施設であるかを判定する。
設定内容決定部２１２及び設定制御部２１３は、設定における設定内容を、受信部２１１により受信した複数のユーザ設定情報と、判定の結果とに基づいて決定する。
これにより、電子機器の設置場所の種類に基づいて、複数のユーザ夫々の好みを考慮した設定を行うことができる。例えば、私的な施設では、ユーザの好みをそのまま反映する一方で、公的な施設では、ユーザの好みの反映を抑制するようなことができる。
【００８５】
ユーザの好みの情報は、ユーザ端末１が受け付けたユーザの操作又はユーザ端末１が取得したユーザの生体情報の少なくとも何れかに基づいて変更される。
これにより、ユーザの好みに加えて、ユーザの状態を示す生体情報にも基づいた設定を行うことができる。
【００８６】
以上のように構成されるユーザに所持されて利用されるユーザ端末１は、ユーザ設定情報生成部１１１と、送信部１１３とを有する。
ユーザ設定情報生成部１１１は、ユーザの好みの設定情報を含むユーザ設定情報を保持する。
送信部１１３は、ユーザ設定情報に基づいた設定を電子機器に対して行うために、ユーザ設定情報を電子機器又は電子機器以外の他の電子機器に対して送信する。
これにより、ユーザの好みに応じた設定情報に基づいて、ユーザの操作等を要することなく、電子機器を設定できる。すなわち、電子機器に対する設定をより簡便且つ適切に行うことができる。
【００８７】
ユーザ設定情報生成部１１１は、ユーザに関連する情報を取得する。
ユーザ設定情報生成部１１１は、ユーザ設定情報生成部１１１により取得されたユーザに関連する情報に基づいて設定情報を生成する。
これにより、ユーザに関連する情報に基づいて、ユーザの好みに応じた設定情報を生成することができる。
【００８８】
ユーザ端末１は、通信部２０を有する。
通信部２０は、前記電子機器又は前記他の電子機器から所定の信号を受信する。
前記送信部１１３は、前記電子機器又は前記他の電子機器から所定の信号を受信した時に、ユーザ設定情報を前記電子機器又は前記電子機器以外の他の電子機器に対して送信する。
これにより、前記電子機器又は前記電子機器以外の他の電子機器が所望した、所定のタイミングで、ユーザ設定情報を送信することができる。
【００８９】
以上のように構成される設定システムＳは、ユーザ設定情報生成部１１１と、送信部１１３と、受信部２１１と、設定内容決定部２１２と、設定制御部２１３とを有する。
ユーザ設定情報生成部１１１は、ユーザが所持するユーザ端末１が予め保持する情報であって、当該ユーザの好みの設定情報を含むユーザ設定情報を取得する。
送信部１１３は、ユーザ設定情報生成部１１１が取得したユーザ設定情報を電子機器に送信する。
受信部２１１は、送信部１１３により送信されたユーザ設定情報を受信する。
設定内容決定部２１２及び設定制御部２１３は、受信部２１１により受信したユーザ設定情報に基づく設定を、電子機器に対して行う。
これにより、ユーザの好みに応じた設定情報に基づいて、ユーザの操作等を要することなく、電子機器を設定できる。すなわち、電子機器に対する設定をより簡便且つ適切に行うことができる。
【００９０】
なお、上述したように、本発明は、上述の実施形態に限定されるものではなく、本発明の目的を達成できる範囲での変形、改良等は本発明に含まれるものである。
即ち、本発明は、電子機器に対して設定を行う用途に広く適用することが可能である。また、この場合に、設定対象となる電子機器は特に限定されない。
【００９１】
また、上述の実施形態では、本発明が適用されるユーザ端末１は、スマートウォッチを例として説明したが、特にこれに限定されない。
例えば、本発明が適用されるユーザ端末１は、ユーザが携帯して利用するような、情報処理機能を有する電子機器一般に適用することができる。具体的には、例えば、本発明は、メガネ型のウェラブルデバイス、イヤホン型のウェラブルデバイス、衣類等に埋め込まれたＩＣ（Ｉｎｔｅｇｒａｔｅｄ  Ｃｉｒｃｕｉｔ）チップ、スマートフォン、携帯電話機、ノート型のパーソナルコンピュータ、携帯型ナビゲーション装置、ポータブルゲーム機等に適用可能である。
また、本発明が適用されるユーザ端末１を、ユーザが携帯して利用するものに代えて、ペットが携帯する首輪等に適用するようにしてもよい。これにより、ペットの好みに応じた設定等を行うことも可能となる。
【００９２】
上述した一連の処理は、ハードウェアにより実行させることもできるし、ソフトウェアにより実行させることもできる。
換言すると、図３や図５の構成は一例に過ぎず、設定制御処理を実行できる機能が設定システムＳに備えられていれば足り、この機能を実現するためにどのような機能ブロックを用いるのかは特に図３や図５の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００９３】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００９４】
このようなプログラムを含む記録媒体は、ユーザにプログラムを提供するために装置本体とは別に配布される図２のリムーバブルメディア５１や図４のリムーバブルメディア５２により構成されるだけでなく、装置本体に予め組み込まれた状態でユーザに提供される記録媒体等で構成される。リムーバブルメディア５１やリムーバブルメディア５２は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や図４のＲＯＭ２２、並びに、図２の記憶部１９や図４の記憶部２８に含まれる半導体メモリ等で構成される。
【００９５】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００９６】
以上、本発明の実施形態について説明したが、この実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００９７】
以下に、本願の出願当初の特許請求の範囲に記載された発明を付記する。
［付記１］
電子機器であって、
ユーザが所持する端末が予め保持する情報であって、当該ユーザの好みの設定情報を含むユーザ設定情報を受信する受信手段と、
前記受信手段が受信した前記ユーザ設定情報に基づく設定指示を自電子機器以外の他の電子機器に送ることにより、前記ユーザの設定情報に基づく設定を、前記他の電子機器に対して行なわせる設定手段と、
を有することを特徴とする電子機器。
［付記２］
電子機器であって、
ユーザが所持する端末が予め保持する情報であって、当該ユーザの好みの設定情報を含むユーザ設定情報を受信する受信手段と、
前記受信手段により受信した前記ユーザ設定情報に基づく設定を、自電子機器に対して行う設定手段と、
を有することを特徴とする電子機器。
［付記３］
前記受信手段は、前記ユーザの設定情報を前記ユーザが所持する端末以外の他の電子機器を介して受信することを特徴とする付記２に記載の電子機器。
［付記４］
前記設定手段は、前記受信手段が前記ユーザ設定情報を受信したタイミングで、前記設定のために動作することを特徴とする付記１乃至３の何れか１に記載の電子機器。
［付記５］
前記設定手段は、前記端末と前記電子機器との位置関係が所定の条件に合致したタイミングで、前記設定のために動作することを特徴とする付記１乃至４の何れか１に記載の電子機器。
［付記６］
前記受信手段は、複数のユーザの夫々が所持する複数の端末から各ユーザの好みの情報を含む複数のユーザ設定情報を受信し、
前記設定手段は、前記設定における設定内容を、前記受信手段により受信した前記複数のユーザ設定情報と、前記複数のユーザ設定情報を前記受信手段が受信した順番とに基づいて決定することを特徴とする付記１乃至５の何れか１に記載の電子機器。
［付記７］
前記受信手段は、複数のユーザの夫々が所持する複数の端末から各ユーザの好みの情報を含む複数のユーザ設定情報を受信し、
前記電子機器は、前記複数のユーザの夫々の離脱時間を推定する推定手段を更に有し、
前記設定手段は前記設定における設定内容を、前記受信手段により受信した前記複数のユーザ設定情報と、前記推定手段での前記推定の結果とに基づいて決定することを特徴とする付記１乃至６の何れか１に記載の電子機器。
［付記８］
前記受信手段は、複数のユーザの夫々が所持する複数の端末から各ユーザの好みの情報を含む複数のユーザ設定情報を受信し、
前記電子機器は、前記設定の対象となる電子機器の設置場所が、私的な施設であるか、又は、公的な施設であるかを判定する判定手段を更に有し
前記設定手段は、前記設定における設定内容を、前記受信手段により受信した前記複数のユーザ設定情報と、前記判定手段による判定の結果とに基づいて決定することを特徴とする付記１乃至７の何れか１に記載の電子機器。
［付記９］
前記ユーザの好みの情報は、前記端末が受け付けたユーザの操作又は前記端末が取得した前記ユーザの生体情報の少なくとも何れかに基づいて変更されることを特徴とする付記１乃至８の何れか１に記載の電子機器。
［付記１０］
ユーザに所持されて利用される端末であって、
前記ユーザの好みの設定情報を含むユーザ設定情報を保持する設定情報生成手段と、
前記ユーザ設定情報に基づいた設定を電子機器に対して行うために、前記ユーザ設定情報を前記電子機器又は前記電子機器以外の他の電子機器に対して送信する送信手段と、
を有することを特徴とする端末。
［付記１１］
ユーザに関連する情報を取得するユーザ情報取得手段を有し、
前記設定情報生成手段は、前記ユーザ情報取得手段により取得されたユーザに関連する情報に基づいて前記設定情報を生成することを特徴とする付記１０に記載の端末。
［付記１２］
前記電子機器又は前記他の電子機器から所定の信号を受信する受信手段を有し、
前記送信手段は、前記電子機器又は前記他の電子機器から所定の信号を受信した時に、前記ユーザ設定情報を前記電子機器又は前記電子機器以外の他の電子機器に対して送信することを特徴とする付記１０又は付記１１に記載の端末。
［付記１３］
ユーザが所持する端末が予め保持する情報であって、当該ユーザの好みの設定情報を含むユーザ設定情報を取得する取得手段と、
前記取得手段が取得した前記ユーザ設定情報を電子機器に送信する送信手段と、
前記送信手段により送信された前記ユーザ設定情報を受信する受信手段と、
前記受信手段により受信した前記ユーザ設定情報に基づく設定を、前記電子機器に対して行う設定手段と、
を有することを特徴とする設定システム。
［付記１４］
電子機器が行う設定方法であって、
ユーザが所持する端末が予め保持する情報であって、当該ユーザの好みの設定情報を含むユーザ設定情報を受信する受信ステップと、
前記受信ステップにて受信した前記ユーザ設定情報に基づく設定指示を自電子機器以外の他の電子機器に送ることにより、前記ユーザの設定情報に基づく設定を、前記他の電子機器に対して行なわせる設定ステップと、
を有することを特徴とする設定方法。
［付記１５］
コンピュータに、
ユーザが所持する端末が予め保持する情報であって、当該ユーザの好みの設定情報を含むユーザ設定情報を受信する受信機能と、
前記受信機能が受信した前記ユーザ設定情報に基づく設定指示を自コンピュータ以外の他の電子機器に送ることにより、前記ユーザの設定情報に基づく設定を、前記他の電子機器に対して行なわせる設定機能と、
を実現することを特徴とする設定プログラム。
【符号の説明】
【００９８】
Ｓ・・・設定システム，１・・・ユーザ端末，２・・・設定制御機器，３・・・被設定機器，４・・・自己設定機器，１１，２１・・・ＣＰＵ，１２，２２・・・ＲＯＭ，１３，２３・・・ＲＡＭ，１４，２４・・・バス，１５，２５・・・入出力インターフェース，１６・・・センサ部，１７，２６・・・入力部，１８，２７・・・出力部，１９，２８・・・記憶部，４０，２９・・・通信部，４１，３０・・・ドライブ，５１、５２・・・リムーバブルメディア，１１１・・・ユーザ設定情報生成部，１１２・・・生体情報取得部，１１３・・・送信部，１９１・・・ユーザ設定情報記憶部，２１１・・・受信部，２１２・・・設定内容決定部，２１３・・・設定制御部，２８１・・・設定管理情報記憶部，
【図１】
2019169894.tif 000003
【図２】
2019169894.tif 000004
【図３】
2019169894.tif 000005
【図４】
2019169894.tif 000006
【図５】
2019169894.tif 000007
【図６】
2019169894.tif 000008
【図７】
2019169894.tif 000009
【図８】
2019169894.tif 000010